(57)【要約】    【課題】  リールシート付近を把持して釣りをおこなうに当たって、釣人の違和感を回避できるカバー部材を提供する    【解決手段】  このカバー部材２０は、リールシート２に取り付けたリールＲの脚部の水平方向に延びる一方の足部分Ｒ１からリールＲの脚部の垂直方向に延びる柱状部分Ｒ２を覆う為の側面方向視で略Ｌ字型の本体部を有する。例えば、この本体部は、NBR等のゴム素材などから形成される。また、本体部の下面に足部分Ｒ１の下面に係着するフランジ２０ａが形成されている。【選択図】      図１
2005261214.tif 000002
【特許請求の範囲】
【請求項１】
竿体の周面に配置されたリールシートに取り付けるリールの脚部に取り付けるカバーであって、
前記リールシートに取り付けたリールの脚部の水平方向に延びる一方の足部分からリールの脚部の垂直方向に延びる柱状部分を覆う為の側面方向視で略Ｌ字型の本体部を有し、前記本体部の下面に前記足部分の下面に係着するフランジが形成されている、カバー部材。
【請求項２】
前記本体部の前記足部分を覆う部分の周面は、前記本体部を前記リールの脚部に取り付けた際に、前記リールシートの固定フードの周面に連続する、請求項１に記載のカバー部材。
【請求項３】
前記本体部の前記足部分を覆う部分の周面は、前記本体部を前記リールの脚部に取り付けた際に、前記リールシートの移動フード部の周面に連続する、請求項１に記載のカバー部材。
【発明の詳細な説明】
【技術分野】
【０００１】
本発明は、竿体の周面に配置されたリールシートに取り付けるリールの脚部に取り付けるカバーに関する。
【背景技術】
【０００２】
釣竿には、リールを脱着自在に竿体に装着するためのリールシートが取り付けられているものがある。この種の釣竿では、リールシートにリールの脚部を取り付けて、リールからの釣糸を釣糸ガイドで穂先側に案内し、釣りをおこなうことになる。
【０００３】
このリールシートには種々のタイプがあるが、その中の１つに、レール溝（摺動溝）を移動フードがスライド移動するタイプのものがある。このリールシートは、リールシート本体のリール載置面の幅方向両縁に軸長方向に延びるレール溝（摺動溝）が形成されている。さらに、載置面の一端には固定フードが形成されており、レール溝には移動フードがスライド移動自在に取り付けられている（例えば、特許文献１参照）。ユーザはリールの脚部を載置面に載置しつつ脚部の一端を固定フードに差し込み、移動フードをスライド移動させて脚部の他端を覆い、移動フードを位置決めして、リールの脚部を載置面上に固定することになる。また、別のタイプのリールシートは、ナット式と呼ばれるタイプのものである。リールシート本体の周面にねじ溝が形成されており、ここにナット状の移動フードが螺着している（例えば、特許文献２参照）。このようなリールシートでは、ナット状の移動フードをねじ溝状で回転させてリールシート本体上を軸長方向に移動させる。そして、上述のリールシートと同様に、リールの脚部を移動フードと固定フードとで挟み込んで固定する。
【０００４】
釣りをおこなう際には、釣人はこのようにリールを取り付けたリールシート付近を一方の手で把持し、他方の手でリール操作をおこなう。詳しくは、上述の特許文献２においてもしめされるように、指の間にリールの脚部を挟み込みつつ、リールシート付近を釣人は把持する（特許文献２：図１０等参照）。
【特許文献１】特開平05-91830号公報
【特許文献２】特開2001-275524号公報
【発明の開示】
【発明が解決しようとする課題】
【０００５】
このようなリールシートにおいて生じる問題の１つに、リールシートの本体と、ここに取り付けたリールの脚部の段差乃至凹凸が生じるという問題がある。このような段差は上述のようにして釣人がリールシート付近を把持する際に、釣人に不快感を与え、また、長時間にわたって釣りをおこなっていると、指が痛くなる。
【０００６】
このような問題点を鑑み、上述の特許文献２においては、リール載置面の両側に、リール脚部の側面を覆い係る段差を解消するようにしたものが提案されている。しかし、このようなリールシートでは、リールの脚部を把持する釣人の指の痛み等を完全に解消できるものではない。特に、指の間にリールの脚部を挟み込みながら釣り操作を行う場合、リールの脚部に直接当たる指の部分が最も違和感を覚え、また、痛みも感じる部分であるが、このような部位に対する対応が、上記特許文献２においては十分に為されているとは言えない。
【０００７】
本発明は、リールシート付近を把持して釣りをおこなうに当たって、釣人の違和感を回避できるカバー部材を提供するものである。
【課題を解決するための手段】
【０００８】
本発明のカバー部材は、竿体の周面に配置されたリールシートに取り付けるリールの脚部に取り付けるカバーであり、リールシートに取り付けたリールの脚部の水平方向に延びる一方の足部分からリールの脚部の垂直方向に延びる柱状部分を覆う為の側面方向視で略Ｌ字型の本体部を有し、本体部の下面に足部分の下面に係着するフランジが形成されている。
【０００９】
リールの脚部の水平方向に延びる足部分を市販のリールシートの載置面に載置し、移動フード及び固定フードによりリールの脚部、特に、リールの脚部の水平方向に延びる足部分の両端を覆い挟み込んで、リールはリールシートに固定される。このようにして固定したリールのリール脚部の足部分に、本発明のカバー部材が取り付けられる。即ち、本体部の下面のフランジを足部分の下面に係着させて、リールの柱状部分の穂先側半面及び穂先側に延びる足部分を覆うように、略Ｌ字型の本体部を、リールの脚部に取り付ける。また、別のカバー部材を準備し、本体部の下面のフランジを足部分の下面に係着させて、リールの柱状部分の竿元側半面及び竿元側に延びる足部分を覆うように、略Ｌ字型の本体部を、リールの脚部に取り付ける。このように取り付けられているカバー部材は、リールの脚部の足部分も柱状部分も覆っており、この部分を指に挟んで釣りをおこなう釣人の違和感や痛みの発生を防止する。
【００１０】
一方のカバー部材については、その本体部の足部分を覆う部分の周面が、本体部をリールの脚部に取り付けた際に、リールシートの固定フードの周面に連続するように設定するのが好ましい。また、他方のカバー部材については、その本体部の足部分を覆う部分の周面が、本体部をリールシートの脚部に取り付けた際に、リールシートの移動フード部の周面に連続するように設定するのが好ましい。リールシートの周面との連続性を図ることで、釣人の違和感や痛みの発生を抑える。
【発明の効果】
【００１１】
本発明のカバー部材をリールシートに取り付けたリール脚部に装着すれば、係る部分を把持した釣人は、違和感や痛みを覚え難くなる。
【発明を実施するための最良の形態】
【００１２】
［第１実施形態］
以下、本発明の実施形態について図面を参照しつつ説明する。
【００１３】
図１に、ある釣竿の元竿１に装着されたリールシート２を示す。この釣竿は、複数の竿体を振出形式若しくは並継ぎ形式に連結したものである。各竿体は強化繊維に合成樹脂を含浸させた繊維強化樹脂素材を焼成してなる先細りテーパの施された管状体である。このような竿体の中でもっとも竿元側に位置する太径の竿体が元竿１であり、この元竿１の周面に装着されているのがリールシート２である。元竿１には、その竿元側端部に尻栓が脱着自在に取り付けられ、釣人が把持するためのグリップが必要に応じてその周面に取り付けられる。さらに、元竿１の穂先側の周面にはリールシート２に取り付けたリールからの釣糸を案内するための釣糸ガイドも装着される。
【００１４】
（リールシート２について）
リールシート２は、元竿１の周面に装着されるパイプ状のリールシート本体３と、移動フード部４と、ロック部５とを有する。
【００１５】
リールシート本体３は、硬質合成樹脂，金属等から構成されるパイプ状の部材である。元竿１の軸長方向の所定の位置の周面に、接着剤等を利用して固定される。元竿１との段差を解消し、外観上一体性を保つために、リールシート本体３の周面には、元竿１の周面と連続する塗装を施してもよい。
【００１６】
図２に詳しく示すように、このリールシート本体３には、その周方向に一部において軸長方向に延びる平面があり、ここがリールの脚部を載置するための載置面１０である。このリールシート本体３においては、載置面１０は穂先側部分と竿元側部分との２つに分断されているが、分断することなく連続的な平面としてもよい。載置面１０の竿元側の部分にあっては、その幅方向中央付近が凹入しており凹溝が形成されている。この凹溝は載置面１０の軸長方向に延びており、この凹溝内にロック板１１が収納されている。ロック板１には幅方向に延びる細かい凹溝が軸長方向に配列されることで、凹凸が形成されている。
【００１７】
他方、載置面１０の穂先側部分には固定フード１２が形成されている。固定フード１２は竿元側方向に開口したフード状の部分でありこの中にリールの脚部の一端、詳しくは、リールＲの脚部の穂先側に向かって水平に延びる足部分Ｒ１の先端が挿入される。さらに、リールシート本体３の載置面１０の竿元側の幅方向両縁には軸長方向に延びる１対のレール溝１３が形成される。即ち、載置面１０の幅方向両縁はそれぞれ庇状に幅方向に広がっており、載置面１０の幅方向両縁の下側には幅方向に凹入するレール溝１３が構成される。このレール溝１３が載置面１０の幅方向両縁に沿って軸長方向に延びている。
【００１８】
移動フード部４は、穂先側の固定フード１２に向かって開口しており内部にリールの脚部Ｒの竿元側に向かって水平に延びる足部分Ｒ３の先端を収納可能である。移動フード部４は、詳しくは、フード状に加工された金属部分とその内部に収納され足部分Ｒ２を受ける合成樹脂部分とから形成される。金属部分の幅方向両端側は折り曲げられており、上述のレール溝１３に噛み合っている。そして、このレール溝１３に沿って移動フード部４が軸長方向にスライド移動する。
【００１９】
ロック部５は、幅方向に回動軸が位置する回動部分と軸受け部分とからなり、回動部分の回動軸付近に爪が直接形成され若しくは別途連結されている。この軸受け部分は移動フード部４同様に、その幅方向両端側が折り曲げられて上述のレール溝１３に噛み合っている。また、軸受け部分は移動フード部４に連結されている。このロック部５の回動部分を平伏させると爪が上述のロック板１１の凹凸に引っ掛かり、移動フード部４は軸長方向において位置決めされる。また、ロック部５の回動部分を起立させると爪の金属金具１１の凹凸への引っ掛かりが解除され、移動フード部４は軸長方向に移動できる。なお、このロック部５の後端（竿元側）には、指で移動フード部４乃至ロック部５を穂先側に押し出し易いように合成樹脂製の押動部品を装着してもよい。
【００２０】
この釣竿では、上述の元竿１の穂先側にさらに他の竿体を連結し、一本の長い釣竿となっている。他の竿体の周面にもリールＲからの釣糸を案内するための釣糸ガイドが複数個、軸長方向に間隔を隔てて装着されている。そして、上述のようなリールシート３の固定フード１２と移動フード部６とで、リールＲの脚部を挟み込んで、リールシート３にリールＲが固定される。そして、リールＲからの釣糸を順次上述の釣糸ガイドに挿通させて、釣糸の先端に仕掛けを連結し、魚釣りが行われることになる。
【００２１】
（カバー部材２０，２１について）
上述のようなリールシート２に取り付けたリールＲの脚部には、図１に示すように、一対のカバー部材２０，２１が取り付けられる。カバー部材２０は、リールＲの脚部の穂先側、即ち、水平方向に延びる足部分Ｒ１と垂直方向に起立する柱状部分Ｒ２の穂先側半面を覆うものである。カバー部材２１は、リールＲの脚部の竿元側、即ち、水平方向に延びる足部分Ｒ３と垂直方向に起立する柱状部分Ｒ２の竿元側半面を覆うものである。
【００２２】
このようなカバー部材２０，２１は、それぞれ、例えば、ＮＢＲ等のゴム素材から形成されており、図３に詳しく示すように、側面方向視で略Ｌ字型の形状の本体部を有する。上述のようなリールＲの脚部の各部分を覆うために、この本体部は、リールＲの脚部の足部分Ｒ１・Ｒ３及び柱状部分Ｒ２の形状に合わせて、係る略Ｌ字型の形状に加工されている。
【００２３】
カバー部材２０を例にして、詳しくその形状を説明する。図３に示すように、カバー部材２０は、側面方向視で略Ｌ字型の形状である。穂先側に水平に延びる部分をむけ、竿元側に垂直方向に起立する部分を向けている。その穂先側に向かう面・下面・竿元側に配置される起立した部分の竿元側面は、それぞれ開口しており、特に、下面の左右の開口縁にはフランジ２０ａが形成されている。このフランジ２０ａはリールＲの脚部の足部分の底面に引っ掛かり、このフランジ２０ａにより、カバー部材２０はリールＲの脚部に係着している。つまり、水平に延びる部分で足部分Ｒ１を覆い、垂直に起立する部分は、リールＲの脚部の柱状部分の穂先側半面を覆っている。この垂直に起立する部分の高さは、例えば、２０ｍｍ程度確保するのが好ましい。なお、カバー部材２０の周面、特に、足部分Ｒ１を覆う水平に延びる部分の周面形状は、リールシート本体３の固定フード１２の高さ・曲面に合致するようにするのが好ましい。
【００２４】
一方、カバー部材２０とペアになるカバー部材２１は、カバー部材２０と逆に、竿元側に水平に延びる部分を向け、穂先側に垂直に延びる部分を向けている。その形状はカバー部材２０と同様である。もっとも、カバー部材２１の周面、特に、足部分Ｒ３を覆う水平に延びる部分の周面形状は、リールシート本体３の移動フード部６の高さ・曲面に合致するようにするのが好ましい。
【００２５】
このようにして、リールシート２に固定したリールＲのリール脚部の所定の部分に一対のカバー部材２０，２１を装着する。すると、図１に示すように、リールＲの脚部のリールシート２の固定フード１２及び移動フード部４に覆われた部分以外の部分が、カバー部材２０，２１により覆われることになる。このように取り付けられているカバー部材２０，２１は、リールＲの脚部の足部分Ｒ１，Ｒ３のみではなく、さらに柱状部分Ｒ２も覆っており、この部分を指に挟んで釣りをおこなう釣人の違和感や痛みの発生を防止する。
【００２６】
また、必要に応じて、カバー部材２０，２１は交換可能であり、魚の臭いや汚れなどが気になるようになれば、新規なものに交換して利用することもできる。
【００２７】
なお、上述の実施形態では、リールシートとして、移動フードがスライド移動するタイプのもので説明している。しかし、いわゆるナット式のリールシートを有する釣竿に装着したリールに対しても、本発明を適用することは妨げられない。
【００２８】
また、上述の実施形態では、穂先側に固定フードが配置されたリールシートを例にして説明しているが、固定フード・移動フード部の軸長方向位置は交換可能である。かかる場合には、そのリールシートの態様に合わせて、一対のカバー部材の取り付け位置を交換する。
【図面の簡単な説明】
【００２９】
【図１】リールシート２に装着したリールＲへ本発明のカバー部材２０，２１を取り付けた状態を示した図。
【図２】図１のリールシート２付近の上面図。
【図３】図１のカバー部材２０を示した図。
【符号の説明】
【００３０】
１  元竿
２  リールシート
３  リールシート本体
４  移動フード部
１０  載置面
１２  固定フード
１３  レール溝
２０，２１  カバー部材
Ｒ  リール
Ｒ１  リールの脚部の足部分（穂先側）
Ｒ２  リールの脚部の柱状部分
Ｒ３  リールの脚部の足部分（竿元側）
【図１】
2005261214.tif 000003
【図２】
2005261214.tif 000004
【図３】
2005261214.tif 000005